(57)【要約】【課題】簡単な構成で、可動部の不要共振を抑制することを目的とする。【解決手段】対物レンズ駆動装置は、対物レンズ２ａ，２ｂを保持するレンズホルダ１と、レンズホルダ１の外周面に取り付けられたフォーカスコイル３ａ〜３ｄ及びトラッキングコイル４ａ〜４ｄと、レンズホルダ１をフォーカス方向及びトラッキング方向に移動可能に支持する弾性支持部材６ａ〜６ｆと、固定ホルダ７と、レンズホルダ１の外周面に対向する壁部８１，８２を有するヨーク８と、ヨーク８の壁部８１，８２に取り付けられたマグネット９ａ，９ｂとを有している。ヨーク８は、フォーカス方向に直交する面内の一方向に延在する穴部８ａ，８ｂを有し、固定ホルダ７は、穴部８ａ，８ｂに係合する突起部（係合部）７ａ，７ｂを有している。【選択図】図６
2009252320.tif 000002
【特許請求の範囲】
【請求項１】
対物レンズを保持するレンズホルダと、
前記レンズホルダを前記対物レンズの光軸と平行なフォーカス方向に移動可能に、且つ前記光軸及び前記ディスクのトラックと直交するトラッキング方向に移動可能に支持する支持手段と、
前記支持手段が取り付けられた固定ホルダと、
前記固定ホルダに取り付けられ、前記レンズホルダの外周面に対向する複数の壁部を有するヨークと、
前記ヨークの前記複数の壁部に取り付けられた複数のマグネットと、
前記レンズホルダの前記外周面に取り付けられた複数のフォーカスコイル及びトラッキングコイルと
を備え、
前記ヨーク及び前記固定ホルダの一方が、前記フォーカス方向に直交する面内の一方向に延在する穴部を有し、
前記ヨーク及び前記固定ホルダの他方が、前記穴部に係合する係合部を有すること
を特徴とする対物レンズ駆動装置。
【請求項２】
前記一方向は、前記フォーカス方向及び前記トラッキング方向の両方に直交するタンジェンシャル方向であることを特徴とする請求項１に記載の対物レンズ駆動装置。
【請求項３】
前記ヨークの前記複数の壁部は、前記レンズホルダを、前記フォーカス方向及び前記トラッキング方向の両方に直交するタンジェンシャル方向に挟み込むように配置された一対の壁部であることを特徴とする請求項１又は２に記載の対物レンズ駆動装置。
【請求項４】
前記固定ホルダは、前記光軸に直交する面を有する底板部と、前記底板部に対向配置された凸形状部とを有し、
前記ヨークは、前記固定ホルダの前記底板部と前記凸形状部とに挟まれて保持されていること
を特徴とする請求項１から３までのいずれか１項に記載の対物レンズ駆動装置。
【請求項５】
前記固定ホルダは、前記レンズホルダ及び前記ヨークを囲む壁部を有し、
前記壁部に、前記ヨークを移動調整する工具を挿入するための開口部が形成されていることを特徴とする請求項１から４までのいずれか１項に記載の対物レンズ駆動装置。
【請求項６】
前記ヨークは、前記固定ホルダの前記開口部内に位置し、なお且つ前記工具に係合可能な操作部を有することを特徴とする請求項５に記載の対物レンズ駆動装置。
【請求項７】
前記開口部は、前記ヨークを前記トラッキング方向に挟み込む２か所に形成されていることを特徴とする請求項５又は６に記載の対物レンズ駆動装置。
【請求項８】
前記支持手段は、
前記レンズホルダを前記フォーカス方向に移動可能に、且つ前記トラッキング方向に移動可能に支持する弾性変形可能な複数のワイヤと、
前記固定ホルダに設けられ、前記複数のワイヤのそれぞれの端部を保持する保持部材と
を有すること
を特徴とする請求項１から７までのいずれか１項に記載の対物レンズ駆動装置。
【請求項９】
請求項１から８までのいずれか１項に記載の対物レンズ駆動装置と、
前記対物レンズ駆動装置を保持し、少なくとも光源が搭載されたピックアップベースと
を備えたことを特徴とする光ヘッド装置。
【請求項１０】
前記ピックアップベースは、その前記対物レンズ駆動装置に対向する面に、当該対物レンズ駆動装置側に突出する突出部を有し、前記突出部には、前記光源からの光を通過させるための穴が形成され、
前記対物レンズ駆動装置は、その前記ピックアップベースに対向する面に、当該ピックアップベース側に突出する周壁部を有し、
前記対物レンズ駆動装置の前記周壁部の内側に、前記ピックアップベースの前記突出部が挿入されることを特徴とする請求項９に記載の光ヘッド装置。
【発明の詳細な説明】
【技術分野】
【０００１】
本発明は、対物レンズを用いて光ディスクに対する情報の記録又は再生を行う光ディスク装置に用いられる対物レンズ駆動装置及び光ヘッド装置に関するものである。
【背景技術】
【０００２】
光ヘッド装置（光ピックアップ）は、光源から出射された光ビームを光ディスクの記録面に集光するため、対物レンズをフォーカス方向に移動させるフォーカス用アクチュエータと、光ビームを光ディスクのトラックに追随させるため、対物レンズをトラッキング方向に移動させるトラッキング用アクチュエータとを備えている。このようなアクチュエータとしては、マグネットにより生成される磁場内にコイルを配置し、コイルに通電することにより発生する電磁力を利用して、フォーカス方向及びトラッキング方向の駆動力を得るものが一般に用いられている。
【０００３】
このようなアクチュエータにより対物レンズを駆動する際には、対物レンズを含む可動部の重心と駆動力が作用する駆動中心（すなわち、駆動力が可動部の一点に集中して作用していると仮定した場合の当該一点）とが一致していないと、トラッキング方向の軸回りにピッチングと呼ばれる揺動（不要共振）が発生し、光ピックアップのサーボ特性に悪影響を与えるという問題がある。
【０００４】
そこで、可動部の重心と駆動中心とを一致させるため、可動部に調整用突起を設け、その調整用突起の数を増減させることにより可動部の重心位置を調整可能としたアクチュエータが提案されている（例えば、特許文献１参照）。また、可動部とマグネットとの間隔を調整することにより、可動部に対して駆動力が作用する駆動中心の位置を調整可能としたアクチュエータも提案されている（例えば、特許文献２参照）。
【０００５】
【特許文献１】特開２００２−５００５９号公報（段落００１３、図１）
【特許文献２】特開２００７−１４９３０３号公報（段落００８０〜００８２、図９）
【発明の開示】
【発明が解決しようとする課題】
【０００６】
しかしながら、上述したように可動部の調整用突起の数を増減させるアクチュエータ（特許文献１参照）では、重心位置の変化が不連続的であるため調整精度が粗くなる上、調整用突起の数を増加させた場合には可動部の重量が増加するためアクチュエータ感度が低下し、サーボ特性が劣化するという問題がある。
【０００７】
また、可動部とマグネットとの間隔を調整するアクチュエータ（特許文献２参照）では、可動部の各コイルに対向配置された一対のマグネットを、それぞれ移動可能なヨーク片（特許文献２の図９のヨーク片１８ａ，１８ｂ）に取り付けているが、各ヨーク片を基準位置で保持する機構が設けられていないため、マグネットがコイルに対して傾いた状態で調整される可能性がある。また、各ヨーク片を移動させて調整を行っても、どちらのマグネットの位置にも組み立て誤差が含まれるため、各マグネットとコイルとにより発生する駆動力（電磁力）も組み立て誤差の影響を受けることになり、駆動力のばらつきが大きくなるという問題がある。
【課題を解決するための手段】
【０００８】
この発明は、上述のような課題を解消するためになされたもので、簡単な構成で、可動部の重心と駆動力が作用する駆動中心とを精度よく一致させる構成を実現し、不要共振を抑制することを目的とする。
【０００９】
この発明に係る対物レンズ駆動装置は、対物レンズを保持するレンズホルダと、レンズホルダを対物レンズの光軸と平行なフォーカス方向に移動可能に、且つ光軸及びディスクのトラックと直交するトラッキング方向に移動可能に支持する支持手段と、支持手段が取り付けられた固定ホルダと、固定ホルダに取り付けられ、レンズホルダの外周面に対向する複数の壁部を有するヨークと、ヨークの当該複数の壁部に取り付けられた複数のマグネットと、レンズホルダの当該外周面に取り付けられたフォーカスコイル及びトラッキングコイルとを備えている。ヨーク及び固定ホルダの一方は、フォーカス方向に直交する面内の一方向に延在する穴部を有し、ヨーク及び固定ホルダの他方は、穴部に係合する係合部を有している。
【発明の効果】
【００１０】
本発明によれば、簡単な構成で、マグネットとコイルとの間隔を調整して、可動部の重心と駆動力が作用する駆動中心とを一致させる構成を実現することができる。その結果、不要共振を抑制し、良好なサーボ特性を得ることができる。また、穴部と係合部との係合により、ヨークが固定ホルダに対して一方向に案内されるため、マグネットが傾いて取り付けられることもない。また、複数のマグネットが一体として位置調整されるため、組み立て誤差の影響を最小限に抑え、駆動力のばらつきを抑制することができる。
【発明を実施するための最良の形態】
【００１１】
実施の形態１．
図１及び図２は、本発明の実施の形態１に係る対物レンズ駆動装置をそれぞれ上方及び下方から見た斜視図である。図３は、実施の形態１に係る対物レンズ駆動装置の正面図（Ａ）、上面図（Ｂ）、側面図（Ｃ）及び底面図（Ｄ）である。図４は、実施の形態１に係る対物レンズ駆動装置を可動部と固定部とに分けて示す斜視図である。図５は、実施の形態１に係る対物レンズ駆動装置の可動部の構成を示す分解斜視図である。図６は、実施の形態１に係る対物レンズ駆動装置の固定部の構成を示す分解斜視図である。図７は、実施の形態１に係る対物レンズ駆動装置の固定ホルダの構成を示す斜視図である。
【００１２】
図１〜図４に示すように、対物レンズ駆動装置１１は、図示しない光ディスクに対向するように対物レンズ２ａ，２ｂを保持するレンズホルダ１と、このレンズホルダ１を移動可能に支持する固定ホルダ７とを備えている。
【００１３】
ここで、対物レンズ２ａ，２ｂの光軸方向、すなわち光ディスクの記録面に直交する方向を、Ｚ方向（フォーカス方向）とする。また、Ｚ方向に垂直な面内において、光ディスクのトラックに直交する方向を、Ｙ方向（トラッキング方向）とする。Ｙ方向及びＺ方向に直交する方向、すなわち光ディスクのトラックの接線方向を、Ｘ方向（タンジェンシャル方向）とする。
【００１４】
対物レンズ２ａ，２ｂは、光源（図示せず）から出射された光束を光ディスクに集光させるものである。対物レンズ２ａは、例えば、波長帯域が４００ｎｍ〜４１０ｎｍの光束を集光するために用いられる。対物レンズ２ｂは、例えば、波長帯域が６５０ｎｍ〜６６０ｎｍの光束と、波長帯域が７６０〜８００ｎｍの光束を集光するために用いられる二焦点レンズである。対物レンズ２ａ，２ｂは、Ｘ方向（タンジェンシャル方向）に並んで位置決めされ、レンズホルダ１に接着により固定されている。
【００１５】
レンズホルダ１は、液晶ポリマー等の軽量で高剛性のプラスチックで形成されたものである。レンズホルダ１は、図５に示すように、光ディスクに対向する面（上面）に、対物レンズ２ａ，２ｂが取り付けられる取り付け部２０ａ，２０ｂを有している。また、レンズホルダ１は、４面の側壁２２，２３，２４，２５を有している。Ｘ方向に対向する一対の側壁２２，２５のうち、側壁２２には、それぞれ扁平状に巻き回されたフォーカスコイル３ａ，３ｂ及びトラッキングコイル４ａ，４ｂが互いに重ならないように接着されており、他方の側壁２５には、それぞれ扁平状に巻き回されたフォーカスコイル３ｃ，３ｄ及びトラッキングコイル４ｃ，４ｄが互いに重ならないように接着されている。
【００１６】
レンズホルダ１のＹ方向に対向する一対の側壁２３，２４のうち、一方の側壁２３には、給電用基板５ｂが固定されており、他方の側壁２４には、給電用基板５ａが固定されている。各給電用基板５ａ，５ｂには、平行配置された導電性を有するワイヤ状の弾性支持部材６ａ〜６ｆの各一端がそれぞれ３本ずつ半田付けにより固定されている。各弾性支持部材６ａ〜６ｆは、給電用基板５ａ，５ｂを介してフォーカスコイル３ａ〜３ｄ及びトラッキングコイル４ａ〜４ｄに電気的に接続されている。
【００１７】
図６に示すように、固定ホルダ７は、レンズホルダ１の底面に対向する底板部７０と、レンズホルダ１の外周面（側壁２２，２３，２４，２５）に対向する壁部７２，７３，７４，７５とを備えており、ポリフェニレンサルファイド等の軽量で高剛性のプラスチックで形成されている。
【００１８】
固定ホルダ７の底板部７０の上部には、円柱状の係合突起７ａ，７ｂ（係合部）が突出形成されている。これら係合突起７ａ，７ｂは、Ｘ方向に並ぶように配置されている。Ｙ方向に対向する一対の壁部７３，７４の内側には、底板部７０とほぼ平行な（すなわちＸＹ面に対して平行な）薄肉状の突出片７ｃ，７ｄ及び突出片７ｅ，７ｆ（図７）がそれぞれ形成されている。これら突出片７ｃ，７ｄ及び突出片７ｅ，７ｆは、それぞれＸ方向に並ぶように配置されている。図７に示すように、突出片７ｅ，７ｆの下面には、半球面を有するボス（凸形状部）７０ｅ，７０ｆが形成されている。なお、図では隠れているが、突出片７ｃ，７ｄの下面にも同様のボスが形成されている。
【００１９】
図６に示すように、固定ホルダ７の壁部７３，７４のＸ方向の略中央（なお且つ底板部７０側）には、開口部７３ａ，７４ａが形成されている。上述した突出片７ｃ，７ｄ及び突出片７ｅ，７ｆは、それぞれ開口部７３ａ，７４ａのＸ方向の両側に位置している。
【００２０】
固定ホルダ７には、壁部７２，７３，７４，７５に囲まれるように、磁性材料により形成されたヨーク８が取り付けられている。ヨーク８は、中央に矩形状の開口部８０ａが形成された底板部８０を有すると共に、その開口部８０ａのＸ方向両側に一対の壁部８１，８２を有している。さらに、ヨーク８の底板部８０には、Ｘ方向を長辺とする長円状の穴部８ａ，８ｂが形成されている。これら穴部８ａ，８ｂは、底板部８０のＸ方向両端部において、Ｘ方向に並ぶように配置されている。さらにヨーク８の底板部８０には、Ｙ方向外側に延在する延在部８３，８４が形成されている。これら延在部８３，８４には、円形の穴部８ｃ，８ｄがＹ方向に並ぶように形成されている。
【００２１】
ヨーク８の壁部８１，８２のＸ方向に互いに対向する面には、マグネット９ａ，９ｂがそれぞれ接着されている。マグネット９ａ，９ｂは、いずれも、Ｙ方向中心及びＺ方向中心に分極ラインを有する４極着磁マグネットである。マグネット９ａ，９ｂは、レンズホルダ１に取り付けられたフォーカスコイル３ａ〜３ｄ及びトラッキングコイル４ａ〜４ｄに対し、隙間を開けて対向するように配置される。
【００２２】
ヨーク８は、その長円状の穴部８ａ，８ｂと、固定ホルダ７の係合突起７ａ，７ｂとがそれぞれ係合することにより、固定ホルダ７に対して当該長円の長手方向（Ｘ方向）に移動可能に案内され、接着剤等により固定ホルダ７に固定される。これら穴部８ａ，８ｂ及び係合突起７ａ，７ｂは、ヨーク８を固定ホルダ７に対してＸ方向に案内する案内手段を構成している。ヨーク８の底板部８０は、固定ホルダ７の突出片７ｃ〜７ｆと底板部７０との隙間に挿入されている。なお、固定ホルダ７の突出片７ｃ〜７ｆの各ボス７０ｅ，７０ｆと底板部７０との間隔は、ヨーク８の底板部８０の厚さよりも狭く、各突出片７ｃ〜７ｆが僅かに弾性変形した状態で底板部８０を摺動可能に保持している。この状態で、ヨーク８の底板部８０の延在部８３，８４は、固定ホルダ７の壁部７３，７４に設けられた開口部７３ａ，７４ａを介して外部に露出されている。
【００２３】
上述したヨーク８の長円状の穴部８ａ，８ｂは、Ｘ方向の長さは固定ホルダ７の係合突起７ａ，７ｂよりも長いが、Ｙ方向においては、がたのない状態で係合突起７ａ，７ｂと係合（嵌合）している。そのため、ヨーク８を、固定ホルダ７に対して穴部８ａ，８ｂの長辺方向（Ｘ方向）に移動させることができる。また、図８に示すように、ヨーク８を移動調整するための後述する一対の調整ピン１２を、固定ホルダ７の開口部７３ａ，７４ａ（逃げ部）を介して挿入し、ヨーク８の底板部８０の延在部８３，８４に設けられた円状の穴部８ｃ，８ｄに係合させることができる。
【００２４】
固定ホルダ７のＸ方向の一方の壁部７５は、中央に開口部を有し、その両側に、弾性支持部材６ａ〜６ｆ（図５）をそれぞれ貫通させる貫通部７７を有している。それぞれの貫通部７７の内部には、弾性支持部材６ａ〜６ｆを包むように紫外線硬化型のゲル状のダンパー剤（図示せず）が充填されている。壁部７５の外側の面には、固定基板１０（保持部材）が取り付けられている。貫通部７７を貫通した弾性支持部材６ａ〜６ｆの端部は、固定基板１０に半田付けにより固定され、電気的にも接続されている。これにより、レンズホルダ１を含む可動部は、弾性支持部材６ａ〜６ｆを介して、固定ホルダ７に弾性的に支持されている。
【００２５】
固定ヨーク７の底板部７０には、後述するピックアップベース１３（図９〜１２）の光源からの光束を通過する穴７１が設けられている。また、図７に示すように、底板部７０の下面には、穴７１を囲むように壁状の周壁部７ｇが設けられている。
【００２６】
次に、以上のように構成された対物レンズ駆動装置の動作について説明する。まず、対物レンズ２ａ（又は対物レンズ２ｂ）により光ディスクの記録面に形成した集光スポットのフォーカス方向のずれを、光ヘッド装置に備えられた公知の非点収差法等を用いたフォーカスセンサで検知する。検知したフォーカスずれ量に応じた電流を、弾性支持部材６ａ〜６ｆを介してフォーカスコイル３ａ〜３ｄに流すことにより、フォーカスコイル３ａ〜３ｄに流れる電流と、マグネット９ａ，９ｂの磁界との相互作用により電磁力が生じ、レンズホルダ１がＺ方向に移動する。これにより、対物レンズ２ａ（２ｂ）がＺ方向に移動し、フォーカス制御が行われる。
【００２７】
また、光ディスクの記録面に形成した集光スポットの所望のトラックに対するトラッキング方向のずれを、光ヘッド装置に備えられた差動プッシュプル法等を用いた公知のトラッキングセンサで検知する。検知したトラッキングずれ量に応じた電流を、弾性支持部材６ａ〜６ｆを介してトラッキングコイル４ａ〜４ｄに流すことにより、トラッキングコイル４ａ〜４ｄに流れる電流と、マグネット９ａ，９ｂとの相互作用により電磁力が生じ、レンズホルダ１がＹ方向に移動する。これにより、対物レンズ２ａ（２ｂ）がその光軸と直交するトラッキング方向に移動し、トラッキング制御が行われる。
【００２８】
なお、レンズホルダ１を含む可動部は、６本の弾性支持部材６ａ〜６ｆにより弾性的に支持されているため、フォーカスコイル３ａ〜３ｄへの通電を解除すると、フォーカス方向における基準位置に復帰し、また、トラッキング用コイル４ａ〜４ｄへの通電を解除すると、トラッキング方向における基準位置に復帰する。また、６本の弾性支持部材６ａ〜６ｆの根元部分はダンパー剤を介して保持されているため、振動減衰効果により、外部からの振動がレンズホルダ１を含む可動部に伝わりにくい。
【００２９】
次に、本実施の形態における調整方法について、図８を参照して説明する。まず、図８に示すように、レーザ変位計１０１を対物レンズ２ａのＺ方向上方に配置する。さらに、固定ホルダ７の開口部７３ａ，７４ａを介して、下方から一対の調整ピン１２を挿入し、ヨーク８の底板部８０の延在部８３，８４に設けられた円状の穴部８ｃ，８ｄに係合させる。なお、調整ピン１２は、例えば精密微動台に設けられたものである。
【００３０】
この状態で、フォーカスコイル３ａ〜３ｄに電圧を印加し、レンズホルダ１を含む可動部をフォーカス方向に変位させ、レーザ変位計１０１で対物レンズ２ａのフォーカス方向の変位量をモニタし、周波数応答特性を測定する。ここで、可動部の重心と、駆動力が作用する駆動中心とが一致していない場合には、Ｚ軸方向のピッチング等の不要共振が観測される。不要共振が観測された場合には、精密微動台等を用いて調整ピン１２をＸ方向に移動させ、ヨーク８のＸ方向の位置を徐々に変化させながら周波数応答特性を測定し、ピッチング等の不要共振が発生しない位置でヨーク８と固定ホルダ７とを接着剤等により固定する。
【００３１】
別の調整方法では、まず、オートコリメータ１０２を対物レンズ２ａのＺ軸方向上方に配置する。この状態で、フォーカスコイル３ａ〜３ｄに電圧を印加して、レンズホルダ１を含む可動部をフォーカス方向に変位させ、オートコリメータ１０２で対物レンズ２ａのＹ軸回りの傾きを測定する。ここで可動部の重心と駆動力が作用する駆動中心が一致していない場合には、Ｙ軸回りの傾きが観測される。この場合は、調整ピン１２によりヨーク８のＸ方向の位置を徐々に変化させながらＹ軸回りの傾きを測定し、傾きが最小となる位置でヨーク８と固定ホルダ７とを接着剤等により固定する。
【００３２】
上述したように、ヨーク８の穴部８ａ，８ｂは、Ｘ方向の長さが固定ホルダ７の係合突起７ａ，７ｂよりもＸ方向に長く、Ｙ方向において、がたのない状態で係合突起７ａ，７ｂと係合しているため、いずれの調整方法においても、ヨーク８は、固定ホルダ７に対して正確に穴部８ａ，８ｂの長辺方向（Ｘ方向）に移動し、Ｙ方向や斜め方向に移動することがない。
【００３３】
また、上記の各調整方法では、マグネット９ａ，９ｂの間隔を一定に保ったまま一体的に移動調整することができるため、マグネット９ａと各コイル３ａ，３ｂ，４ａ，４ｂとの間隔、及び、マグネット９ｂと各コイル３ｃ，３ｄ，４ｃ，４ｄとの間隔を正確に決定することができる。
【００３４】
すなわち、従来技術（例えば、特許文献２）では、各マグネットの位置をそれぞれ調整したとしても、どちらのマグネットの位置にも誤差（組み立て誤差）が含まれるため、各マグネットとコイルとにより生じる駆動力（電磁力）も組み立て誤差の影響を受けることになる。これに対し、本実施の形態では、マグネット９ａ，９ｂの間隔を一定に保ったまま調整を行い、不要共振が発生しない位置でこれらを固定するため、組み立て誤差の影響を最小限に抑え、レンズホルダの駆動力のばらつきを抑制することができる。
【００３５】
以上説明したように、本実施の形態の対物レンズ駆動装置によれば、簡単且つ安価な構成で、可動部の重心と駆動力が作用する駆動中心とを一致させ、これにより可動部の不要共振を抑制し、良好なサーボ特性を得ることができる。
【００３６】
また、このように良好なサーボ特性を得ることにより、対物レンズ駆動装置を長期間に亘って安定して動作させることができ、光ヘッド装置の寿命を改善することができる。
【００３７】
また、マグネット９ａ，９ｂが固定されたヨーク８の壁部８１，８２が、レンズホルダ１をＸ方向に挟み込むように配置されており、このヨーク８をＸ方向に移動させて調整を行うように構成されているため、ヨーク８を他の方向に移動させた場合よりも、効率よく、可動部の重心と駆動力が作用する駆動中心とを一致させる調整作業を行うことができる。
【００３８】
また、ヨーク８の底板部８０が、固定ホルダ７のボス７０ｅ，７０ｆと底板部７０との間に挟まれて保持されているため、ヨーク８を移動調整する際に、固定ホルダ７からヨーク７が浮き上がることがない。また、ボス７０ｅ，７０ｆの先端が半円状であるため、ヨーク８の調整時に発生する摩擦を抑制することができる。
【００３９】
また、固定ホルダ７の壁部７３，７４に開口部７３ａ，７４ａが設けられているため、対物レンズ駆動装置１１の外部から調整ピン１２を挿入してヨーク８を移動調整することができる。また、開口部７３ａ，７４ａがレンズホルダ１に対してＹ方向の両側に配置されているため、２つの調整ピン１２を用いてヨーク８をＸ方向に円滑に移動させることができる。
【００４０】
なお、上述した対物レンズ駆動装置では、ヨーク８の底板部８０に長円状の穴部８ａ，８ｂを設け、固定ベース７の底板部７０に係合突起７ａ，７ｂを設けたが、逆に、固定ベース７の底板部７０に長円状の穴部を設け、ヨーク８の底板部８０に（穴部に係合する）係合突起を設けても良い。
【００４１】
また、上述した対物レンズ駆動装置では、ヨーク８の底板部８０にＸ方向（タンジェンシャル方向）に長辺を有する長円状の穴部８ａ，８ｂを設け、ヨーク８をＸ方向に移動調整する構成について説明したが、ヨーク８にＹ方向（トラッキング方向／ラジアル方向）に長辺を有する長円状の穴部を設け、ヨーク８をＹ方向に移動調整する構成も可能である。
【００４２】
次に、本実施の形態に係る対物レンズ駆動装置を搭載した光ヘッド装置について説明する。図９及び図１０は、本実施の形体に係る対物レンズ駆動装置を搭載した光ヘッド装置の構成を示す斜視図及び側面図である。図１１及び図１２は、光ヘッド装置の対物レンズ駆動装置とピックアップベースとを分離して示す側面図及び斜視図である。
【００４３】
光ヘッド装置は、上述した対物レンズ駆動装置１１と、この対物レンズ駆動装置１１を保持するピックアップベース１３とを備えている。ピックアップベース１３に搭載される各構成要素は、図示を省略するが、例えば、波長帯域が４００〜４１０ｎｍの光を発する第１の光源（例えば青色半導体レーザ）と、波長帯域が６５０〜６６０ｎｍ／７６０〜８００ｎｍの２種類の光を印加電圧に応じて選択可能な第２の光源（例えば２波長半導体レーザ）と、各光源から出射された光束を透過、反射又は収束させる光学部品と、各光源を駆動する電気部品と、光ディスクからの反射光を電気信号に変換する電気部品とが搭載されている。
【００４４】
ピックアップベース１３には、上述した光源、光学部品及び電気部品等を覆う上面プレート１３ｄが設けられている。また、ピックアップベース１３の上面プレート１３ｄには、Ｚ方向に突出した突出部１３ａが設けられており、この突出部１３ａには光束を通過させるＺ方向の穴１３ｂ，１３ｃ（図１２）が形成されている。また、ピックアップベース１３には、ガイド穴１３ｅが形成され、このガイド穴１３ｅに挿通された図示しないガイド軸に沿って光ディスクの半径方向に移動可能に支持されている。
【００４５】
対物レンズ駆動装置１１は、ピックアップベース１３の上部に隙間をあけた状態で保持されている。すなわち、対物レンズ駆動装置１１は、Ｘ軸回りとＹ軸回りの傾きを調整した後、その下面（固定ベース７の下面）の数箇所をピックアップベース１３の上面プレート１３ｄに接着剤（図１０に符号Ａで示す）で固定することにより、上面プレート１３ｄとの間に隙間を確保した状態で保持されている。
【００４６】
この状態で、ピックアップベース１３の突出部１３ａは、対物レンズ駆動装置１１の固定ホルダ７の周壁部７ｇの内側に挿入されており、固定ホルダ７の周壁部７ｇの下面がピックアップベース１３の突出部１３ａの上面より下側に位置している。これにより、突出部１３ａの穴１３ｂ，１３ｃが、固定ホルダ７の周壁部７ｇによって周囲を囲まれるため、塵埃が穴１３ａ，１３ｃを介してピックアップベース１３の内部に侵入することがない。
【００４７】
光ディスクに対する情報の記録又は再生を行う際には、図示しない駆動装置によりピックアップベース１３が光ディスクの半径方向に移動し、ピックアップベース１３に搭載された何れかの光源から、４００〜４１０ｎｍ、６５０〜６６０ｎｍ又は７６０〜８００ｎｍの波長帯域の光束が発せられる。光源から発せられた光束は、突出部１３ａの穴１３ｂ（又は穴１３ｃ）を通過し、対物レンズ２ａ（又は対物レンズ２ｂ）を透過して、光ディスクの記録面に集光される。フォーカシングずれの制御、及びトラッキングずれの制御については、上述したとおりである。
【００４８】
以上のように構成された光ヘッド装置では、対物レンズ駆動装置１１の可動部の不要共振を抑制して良好なサーボ特性を得ることができるため、簡単且つ安価な構成で、光ディスクに情報を記録又は再生する性能を向上することができる。
【００４９】
また、簡単な構成で、ピックアップベース１３内部への埃の侵入を防止することができるため、光ヘッド装置の信頼性を向上することができる。
【００５０】
なお、上述した実施の形態では、弾性支持部材６ａ〜６ｆを用いてレンズホルダ１を支持する対物レンズ駆動装置について説明したが、本発明は、このような対物レンズ駆動装置に限定されるものではなく、例えば、レンズホルダ１を支軸の周りに回転可能に、且つ支軸に沿って直進移動可能に支持する対物レンズ駆動装置にも適用できる。
【００５１】
また、上述した実施の形態１では、レンズホルダ１に２つの対物レンズ２ａ，２ｂが搭載された対物レンズ駆動装置について説明したが、レンズホルダ１に搭載する対物レンズの数は一つであってもよいし、３つ以上であってもよい。
【図面の簡単な説明】
【００５２】
【図１】この発明の実施の形態１における対物レンズ駆動装置を上方から見た斜視図である。
【図２】この発明の実施の形態１における対物レンズ駆動装置を下方から見た斜視図である。
【図３】この発明の実施の形態１における対物レンズ駆動装置の正面図（Ａ）、上面図（Ｂ）、側面図（Ｃ）及び底面図（Ｄ）である。
【図４】この発明の実施の形態１における対物レンズ駆動装置を可動部と固定部とに分けて示す斜視図である。
【図５】この発明の実施の形態１における対物レンズ駆動装置の可動部を示す分解斜視図である。
【図６】この発明の実施の形態１における対物レンズ駆動装置の固定部を示す分解斜視図である。
【図７】この発明の実施の形態１における対物レンズ駆動装置の固定ホルダを示す斜視図である。
【図８】この発明の実施の形態１における対物レンズ駆動装置の調整方法を示す斜視図である。
【図９】この発明の実施の形態１における対物レンズ駆動装置を搭載した光ヘッド装置の斜視図である。
【図１０】この発明の実施の形態１における対物レンズ駆動装置を搭載した光ヘッド装置の側面図である。
【図１１】この発明の実施の形態１における対物レンズ駆動装置を搭載した光ヘッド装置を、対物レンズ駆動装置とピックアップベースとに分けて示す側面図である。
【図１２】この発明の実施の形態１における対物レンズ駆動装置を搭載した光ヘッド装置を、対物レンズ駆動装置とピックアップベースとに分けて示す斜視図である。
【符号の説明】
【００５３】
１  レンズホルダ、  ２ａ  対物レンズ、  ２ｂ  対物レンズ、  ３ａ，３ｂ，３ｃ，３ｄ  フォーカスコイル、  ４ａ，４ｂ，４ｃ，４ｄ  トラッキングコイル、  ５ａ，５ｂ  給電用基板、  ６ａ，６ｂ，６ｃ，６ｄ，６ｅ，６ｆ  弾性支持部材、  ７  固定ホルダ、  ７ａ，７ｂ  係合突起、  ７ｇ  周壁部、  ８  ヨーク、  ８ａ，８ｂ  穴部、  ９ａ，９ｂ  マグネット、  １０  固定基板、  １１  対物レンズ駆動装置、  １２  調整ピン、  １３  ピックアップベース、  １３ａ  突出部。
【図１】
2009252320.tif 000003
【図２】
2009252320.tif 000004
【図３】
2009252320.tif 000005
【図４】
2009252320.tif 000006
【図５】
2009252320.tif 000007
【図６】
2009252320.tif 000008
【図７】
2009252320.tif 000009
【図８】
2009252320.tif 000010
【図９】
2009252320.tif 000011
【図１０】
2009252320.tif 000012
【図１１】
2009252320.tif 000013
【図１２】
2009252320.tif 000014